(57)【要約】【課題】荷扱いで上部からの荷重を受けた場合でも安易に包装箱の天面が潰れないようにすることを目的とする。【解決手段】プラズマディスプレイ装置を立てた状態で保持する底箱とこの底箱に被せられる上箱２１とからなる直方体形状の包装箱を有し、前記包装箱の上箱２１の天面部２６は、天面開口部２６ａの短辺に設けられかつ相対向する先端部に切り込み２９を有する２つの第１の切り起こし片２７と、この第１の切り起こし片２７上に重ね合わすように天面開口部２６ａの長辺に設けられかつ突き合わされる先端部に前記第１の切り起こし片２７の切り込み２９に嵌り合うフラップ３０を設けた２つの第２の切り起こし片２８とで構成した。【選択図】　図２
2004067204.tif 000002
【特許請求の範囲】
【請求項１】
パネル及びこのパネルの背面側に配置されかつパネルに信号を印加して表示を行う回路ブロックからなる表示ユニットを有する平板形状のプラズマディスプレイ装置と、このプラズマディスプレイ装置を立てた状態で保持する底箱とこの底箱に被せられる上箱とからなる直方体形状の包装箱とを有し、前記包装箱の上箱の天面部は、天面開口部の短辺に設けられかつ相対向する先端部に切り込みを有する２つの第１の切り起こし片と、この第１の切り起こし片上に重ね合わすように天面開口部の長辺に設けられかつ突き合わされる先端部に前記第１の切り起こし片の切り込みに嵌り合うフラップを設けた２つの第２の切り起こし片とで構成したことを特徴とするプラズマディスプレイ装置の梱包装置。
【発明の詳細な説明】
【０００１】
【発明の属する技術分野】
本発明は、大画面で、薄型、軽量のディスプレイ装置として知られているプラズマディスプレイ装置の付属品の梱包装置に関するものである。
【０００２】
【従来の技術】
従来、この種のプラズマディスプレイは、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００３】
このプラズマディスプレイ装置には、大別して、駆動的にはＡＣ型とＤＣ型があり、放電形式では面放電型と対向放電型の２種類があるが、高精細化、大画面化及び製造の簡便性から、現状では、プラズマディスプレイ装置の主流は、３電極構造の面放電型のもので、その構造は、一方の基板上に平行に隣接した表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００４】
このようなプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
まず、プラズマディスプレイ装置におけるプラズマディスプレイパネルの構造について図３を用いて説明する。図３に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【０００６】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面及びオーバーコート層６の表面に蛍光体層９が設けられている。
【０００７】
これらの基板１と基板５とは、スキャン電極及びサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【０００８】
図４にこのプラズマディスプレイパネルの電極配列を示しており、図４に示すようにスキャン電極及びサステイン電極とアドレス電極とは、Ｍ行×Ｎ列のマトリックス構成であり、行方向にはＭ行のスキャン電極ＳＣＮ１〜ＳＣＮＭ及びサステイン電極ＳＵＳ１〜ＳＵＳＭが配列され、列方向にはＮ列のアドレス電極Ｄ１〜ＤＮが配列されている。
【０００９】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００１０】
図５に上記で説明した構造のパネルを組み込んだプラズマディスプレイ装置の全体構成の一例を示している。図において、パネル１０を収容する筐体は、前面枠１１と金属製のバックカバー１２とから構成され、前面枠１１の開口部には光学フィルター及びパネル１０の保護を兼ねたガラス等からなる前面カバー１３が配置されている。また、この前面カバー１３には電磁波の不要輻射を抑制するために、例えば銀蒸着が施されている。さらに、バックカバー１２には、パネル１０等で発生した熱を外部に放出するための複数の通気孔１２ａが設けられている。
【００１１】
前記パネル１０は、アルミニウム等からなるシャーシ部材１４の前面に熱伝導シート１５を介して接着することにより保持され、そしてシャーシ部材１４の背面側には、パネル１０を表示駆動させるための複数の回路ブロック１６が取り付けられており、これにより表示ユニットが構成されている。前記熱伝導シート１５は、パネル１０で発生した熱をシャーシ部材１４に効率よく伝え、放熱を行うためのものである。また、回路ブロック１６はパネル１０の表示駆動とその制御を行うための電気回路を備えており、パネル１０の縁部に引き出された電極引出部に、シャーシ部材１４の四辺の縁部を越えて延びる複数のフレキシブル配線板（図示せず）によって電気的に接続されている。
【００１２】
また、シャーシ部材１４の後面には、回路ブロック１６を取り付けたり、バックカバー１２を固定するためのボス部１４ａがダイカスト等による一体成型により突設されている。なお、このシャーシ部材１４は、アルミニウム平板に固定ピンを固定して構成してもよい。
【００１３】
【発明が解決しようとする課題】
このような構成のプラズマディスプレイ装置は、大型画面で薄型を最大の特徴としており、そのため梱包状態においても奥行き寸法が小さく、従来のＣＲＴのテレビ、ディスプレイの１／２から１／３程度になっていることが知られている。
【００１４】
ところが、このプラズマディスプレイ装置を運搬のため、梱包し、出荷した際、荷扱いで包装箱に上部からの荷重を受けると、包装箱の天面が潰れるという課題がある。
【００１５】
本発明はこのような課題を解決するもので、荷扱いで上部からの荷重を受けた場合でも安易に包装箱の天面が潰れないようにすることを目的とする。
【００１６】
【課題を解決するための手段】
上記目的を達成するために本発明は、プラズマディスプレイ装置を立てた状態で保持する底箱とこの底箱に被せられる上箱とからなる直方体形状の包装箱を有し、前記包装箱の上箱の天面部は、天面開口部の短辺に設けられかつ相対向する先端部に切り込みを有する２つの第１の切り起こし片と、この第１の切り起こし片上に重ね合わすように天面開口部の長辺に設けられかつ突き合わされる先端部に前記第１の切り起こし片の切り込みに嵌り合うフラップを設けた２つの第２の切り起こし片とで構成したものである。
【００１７】
【発明の実施の形態】
すなわち、本発明の請求項１記載の発明は、パネル及びこのパネルの背面側に配置されかつパネルに信号を印加して表示を行う回路ブロックからなる表示ユニットを有する平板形状のプラズマディスプレイ装置と、このプラズマディスプレイ装置を立てた状態で保持する底箱とこの底箱に被せられる上箱とからなる直方体形状の包装箱とを有し、前記包装箱の上箱の天面部は、天面開口部の短辺に設けられかつ相対向する先端部に切り込みを有する２つの第１の切り起こし片と、この第１の切り起こし片上に重ね合わすように天面開口部の長辺に設けられかつ突き合わされる先端部に前記第１の切り起こし片の切り込みに嵌り合うフラップを設けた２つの第２の切り起こし片とで構成したことを特徴とする。
【００１８】
以下、本発明の一実施の形態によるプラズマディスプレイ装置の梱包装置について、図１、図２を用いて説明する。なお、図１、図２において、図３〜図５に示す部分と同一部分については同一番号を付している。
【００１９】
図１に本発明の一実施の形態によるプラズマディスプレイ装置の梱包装置の全体構成を示し、図２にその要部構成を示している。図において、プラズマディスプレイ装置を収納する直方体形状の包装箱は、高さ方向の寸法が小さい底箱２０と、この底箱２０の上より被せられる高さ方向の寸法が大きい上箱２１とからなり、底箱２０の底部内面及び上箱２１の上部内面にはそれぞれ緩衝部材２２が配置され、包装シート２３で覆ったプラズマディスプレイ装置２４がこの緩衝部材２２により立てた状態で保持されて包装箱内に収容されている。
【００２０】
また、緩衝部材２２は、底箱２０と上箱２１それぞれのコーナー部及びほぼ中央部に配置され、それぞれプラズマディスプレイ装置２４が嵌り合う凹部２５が設けられている。
【００２１】
さらに、前記包装箱の上箱２１の天面部２６は、図２に示すように、天面開口部２６ａの短辺に設けられた２つの第１の切り起こし片２７と、この第１の切り起こし片２７上に重ね合わすように天面開口部２６ａの長辺に設けられた２つの第２の切り起こし片２８とで構成され、それぞれの第１、第２の切り起こし片２７、２８を天面開口部２６ａを塞ぐように内側に折り返すことにより、天面部２６が形成されている。そして、前記第１の切り起こし片２７の相対向する先端部には、切り込み２９が設けられ、また第２の切り起こし片の突き合わされる先端部には、前記第１の切り起こし片２７の切り込み２９に嵌り合うフラップ３０が設けられており、この第２の切り起こし片２８のフラップ３０を第１の切り起こし片２７の切り込み２９に嵌め合わせて、第１、第２の切り起こし片２７、２８を天面開口部２６ａを塞ぐように内側に折り返すことにより、天面部２６の強度を高めることができ、荷扱いで上部からの荷重を受けた場合でも天面部２６が潰れないようにすることができる。
【００２２】
【発明の効果】
以上説明したように本発明によれば、大型で平板形状となるプラズマディスプレイ装置において、運搬のために梱包し出荷した後、荷扱いで上部からの荷重を包装箱の天面部が受けた場合であっても、天面部が潰れにくくなるという効果が得られる。
【図面の簡単な説明】
【図１】本発明の一実施の形態によるプラズマディスプレイ装置の梱包装置の全体構成を示す斜視図
【図２】同装置において、要部の構成を示す斜視図
【図３】プラズマディスプレイ装置のパネルの概略構成を示す斜視図
【図４】プラズマディスプレイ装置のパネルの電極配列を示す説明図
【図５】プラズマディスプレイ装置の内部の配置構造を示す分解斜視図
【符号の説明】
１０　パネル
２０　底箱
２１　上箱
２４　プラズマディスプレイ装置
２６　天面部
２６ａ　天面開口部
２７　第１の切り起こし片
２８　第２の切り起こし片
２９　切り込み
３０　フラップ
【図１】
2004067204.tif 000003
【図２】
2004067204.tif 000004
【図３】
2004067204.tif 000005
【図４】
2004067204.tif 000006
【図５】
2004067204.tif 000007